(57)【要約】【課題】寸法およびコストの増加を招くことなく、ＩＣコイン出口からＩＣコインが内部に押し戻されることを阻止可能な構成を備えたＩＣコイン処理装置を提案すること。【解決手段】遊技台用台間機１に組み込まれているＩＣコイン処理装置１０では、出口センサ４０によって発行あるいは返却されるＩＣコインが検出されると、ＩＣコイン搬送ローター２５を回転させ、そのローター外周端面２５ａにおけるポケット開口部２５ｂが形成されていない部分２５ｃをＩＣコイン出口通路３０に対峙させ、当該部分２５ｃによって、ＩＣコインが押し戻されることを阻止している。ローター外周端面２５ａの部分２５ｃを利用しているので、ＩＣコインが押し戻されることを阻止するために新たな部品を取り付ける必要がなく、ＩＣコイン出口通路を長くする必要もない。【選択図】図３
2008083812.tif 000002
【特許請求の範囲】
【請求項１】
ＩＣコインに対してデータの読み書きを行うＩＣコインリーダーライターと、
このＩＣコインリーダーライターによるＩＣコインのデータ読み書き位置およびＩＣコインを発行あるいは返却するためのＩＣコイン排出位置を経由する円弧状軌跡に沿ってＩＣコインを一枚ずつ搬送可能なポケットを備え、当該ポケットの開口部がローター外周端面に形成されているＩＣコイン搬送ローターと、
前記ＩＣコイン排出位置において前記ポケットから転がり出たＩＣコインをＩＣコイン出口に導くためのＩＣコイン出口通路と、
前記ＩＣコイン排出位置において前記ポケットからＩＣコインが転がり出ない状態で前記ＩＣコイン出口通路を封鎖可能な出口シャッターと、
前記ＩＣコイン出口通路の前記出口シャッターよりもＩＣコイン排出側の位置においてＩＣコインを検出する出口センサと、
前記ＩＣコイン搬送ローターおよび前記出口シャッターを駆動制御する制御手段とを有し、
当該制御手段は、前記出口センサによりＩＣコインが検出されると、前記ＩＣコイン搬送ローターを、前記ポケットの開口部が形成されていないローター外周端面部分によって、ＩＣコインがＩＣコイン搬送ローターの側に押し戻されることを阻止可能なＩＣコイン押し戻し阻止位置に回転させることを特徴とするＩＣコイン処理装置。
【請求項２】
請求項１において、
前記出口センサによるＩＣコインの検出位置は、検出されたＩＣコインを前記ＩＣコイン搬送ローターの前記外周端面部分によって前記ＩＣコイン出口の側に押し出し可能な位置に設定されていることを特徴とするＩＣコイン処理装置。
【請求項３】
請求項２において、
前記制御手段は、前記出口センサによってＩＣコインが検知されなくなると、前記出口シャッターを閉じることを特徴とするＩＣコイン処理装置。
【請求項４】
請求項３において、
ＩＣコインが投入されるＩＣコイン投入口と、
前記ＩＣコイン投入口から投入されたＩＣコインを前記データ読み書き位置に案内するＩＣコイン入口通路と、
ＩＣコインを下端開口部から受け入れて１枚ずつ直径方向に積み上げた状態に収納可能なＩＣコイン収納通路とを有し、
前記ポケットは、前記データ読み書き位置、前記ＩＣコイン排出位置、および、前記ＩＣコイン収納通路の前記下端開口部にＩＣコインを押し込み可能なＩＣコイン収納位置を経由する円弧状軌跡に沿って移動可能となっていることを特徴とするＩＣコイン処理装置。
【請求項５】
請求項４において、
前記ＩＣコイン搬送ローターは、前記ポケットとして、１２０度間隔で形成された３つのポケットを備えており、
前記データ読み書き位置は前記ポケットの開口部が上を向いた位置であり、前記ＩＣコイン排出口は前記データ読み書き位置から６０度回転した位置であり、前記ＩＣコイン収納位置は、前記データ読み書き位置から同一方向に２４０度回転した位置であり、
前記ＩＣコイン搬送ローターの前記ＩＣコイン押し戻し阻止位置は、前記ポケットの一つが前記データ読み書き位置に位置する回転位置であることを特徴とするＩＣコイン処理装置。
【請求項６】
隣接配置されている遊技台でのプレイで使用する遊技媒体の貸し出しを行う遊技台用台間機において、
請求項１ないし５のうちのいずれかの項に記載のＩＣコイン処理装置を備えていることを特徴とする遊技台用台間機。
【発明の詳細な説明】
【技術分野】
【０００１】
本発明は、遊技媒体の貸し出し処理をＩＣコインを用いたプリペイド方式により行う場合等に用いられるＩＣコイン処理装置および当該ＩＣコイン処理装置を備えた遊技台用台間機に関する。更に詳しくは、ＩＣコイン搬送ローターに形成したポケットを円弧状の軌跡に沿って移動して、ＩＣコインに対するデータの読み書き、ＩＣコインの発行あるいは返却、およびＩＣコインの回収動作を行うように構成されたＩＣコイン処理装置において、発行あるいは返却のためにコイン出口に排出されたＩＣコインがＩＣコイン搬送ローターの側に押し戻されることを阻止できるようにした改良技術に関するものである。
【背景技術】
【０００２】
ＩＣメモリチップが内蔵された非接触型のＩＣコインを用いたプリペイド方式により遊技媒体の貸し出し処理を行うことのできる遊技台用台間機が知られている。かかる遊技台用台間機には、ＩＣコインの発行、返却、回収、およびデータの読み書き処理を行うＩＣコイン処理装置が組み込まれている。遊技者が紙幣などの金銭を投入すると、投入金額に対応する価値データが書き込まれたＩＣコインが発行される。ＩＣコインを使用して遊技媒体の貸し出しを受けると、記憶されている価値データが、貸し出し金額分だけ減算処理された値に更新され、遊技終了時には、残高が残っているＩＣコインが遊技者に返却される。残高が零になったＩＣコインは、返却されずにＩＣコイン処理装置に回収されるようになっている。
【０００３】
特許文献１、２にはこのようなコイン型記憶媒体(ＩＣコイン)の処理機が開示されている。これらに開示されているコイン型記憶媒体の処理機は、周縁にコイン型記憶媒体を収納可能な凹部が形成されたローターを回転させることにより、コイン型記憶媒体を投入路から受け取り、リーダーライターによってその記憶情報を読み取る動作、コイン型記憶媒体を排出路から返却する動作、または、ストッカに収納する動作を行うように構成されている。また、ローターを逆回転させることにより、ストッカに収納されているコイン型記憶媒体を取り出して、リーダーライターによって金銭情報を書き込み、排出口から発行する動作を行うように構成されている。
【特許文献１】特開２００３−１３５８２９号公報
【特許文献２】特開２００５−３４２７９号公報
【発明の開示】
【発明が解決しようとする課題】
【０００４】
このようなＩＣコイン処置装置においては次のような解決すべき課題がある。ＩＣコインが発行あるいは返却のためにＩＣコイン出口に排出されたにも拘わらず、遊技者が受け取るのを忘れて、そこに残ったままとなる場合がある。ＩＣコインがＩＣコイン出口に残ったまま、次のＩＣコインが発行あるいは返却されると、ＩＣコイン出口に縦列状態で２個のＩＣコインが貯まることになる。ＩＣコイン出口近傍にはＩＣコインが排出されたことを検出するための出口センサと、出口センサの出力に基づき、ＩＣコイン出口に繋がるＩＣコイン出口通路を開状態から閉じ状態に切り替えるための出口シャッターが配置されている。
【０００５】
ＩＣコインは出口センサによる検出位置を通過した後にＩＣコイン出口に到る。したがって、出口センサの検出位置をＩＣコインが通過した後に、当該検出位置よりも上流側に配置されている出口シャッターが閉じるようになっている。
【０００６】
ＩＣコイン出口に２個のＩＣコインが貯まると、後側のＩＣコインが出口センサの検出位置に掛かった位置に留まり、出口シャッターが開いたままの状態になる。出口シャッターが開いたままの状態においては、ＩＣコイン出口がＩＣコイン出口通路を介してローターのポケットに連通している。このため、コイン出口に残っているＩＣコインが押し込まれると、後側のＩＣコインがローターのポケットの側に逆戻りする危険性がある。ＩＣコインが押し戻されて出口センサの検出位置から上流側に移動すると、当該出口センサの出力に基づきＩＣコインが検出位置を通過したものと判断されて、出口シャッターが閉まり、発行あるいは返却されるべきＩＣコインがポケットに戻ってしまい、それを取り除く回復処理が必要になってしまう。
【０００７】
また、押し戻されたＩＣコインが再びポケットから転がり出ると、閉じようとしている出口シャッターにＩＣコインが挟まれ、動作不能状態に陥る危険性がある。さらには、回転を始めたローターと内部通路の間に当該ＩＣコインが挟まれ、動作不能状態に陥る危険性がある。
【０００８】
ＩＣコイン出口通路を長くして、ＩＣコインがローターの側に押し戻されることの無いようにすることが考えられる。しかし、この方法では装置寸法が増加してしまい、特に、遊技台の間の狭い空間に設置される遊技台用台間機に組み込まれるＩＣコイン処理装置には採用することができない。また、出口センサを例えば２組設けて、ＩＣコインの移動方向も検出できるようにすることも考えられる。この場合においては２組のセンサが必要になり、また、その設置スペースを確保する必要があるので、コスト高、寸法増加を招くことになり、実用的な解決方法ではない。
【０００９】
本発明の課題は、このような点に鑑みて、寸法およびコストの増加を招くことなく、ＩＣコイン出口からＩＣコインが内部に押し戻されることを阻止可能な構成を備えたＩＣコイン処理装置、および当該ＩＣコイン処理装置を備えた遊技台用台間機を提案することにある。
【課題を解決するための手段】
【００１０】
上記の課題を解決するために、本発明のＩＣコイン処理装置は、
ＩＣコインに対してデータの読み書きを行うＩＣコインリーダーライターと、
このＩＣコインリーダーライターによるＩＣコインのデータ読み書き位置およびＩＣコインを発行あるいは返却するためのＩＣコイン排出位置を経由する円弧状軌跡に沿ってＩＣコインを一枚ずつ搬送可能なポケットを備え、当該ポケットの開口部がローター外周端面に形成されているＩＣコイン搬送ローターと、
前記ＩＣコイン排出位置において前記ポケットから転がり出たＩＣコインをＩＣコイン出口に導くためのＩＣコイン出口通路と、
前記ＩＣコイン排出位置において前記ポケットからＩＣコインが転がり出ない状態で前記ＩＣコイン出口通路を封鎖可能な出口シャッターと、
前記ＩＣコイン出口通路の前記出口シャッターよりも下流側の位置においてＩＣコインを検出する出口センサと、
前記ＩＣコイン搬送ローターおよび前記出口シャッターを駆動制御する制御手段とを有し、
当該制御手段は、前記出口センサによりＩＣコインが検出されると、前記ＩＣコイン搬送ローターを、前記ポケットの開口部が形成されていないローター外周端面部分によって、ＩＣコインがＩＣコイン搬送ローターの側に押し戻されることを阻止可能なＩＣコイン押し戻し阻止位置に回転させることを特徴としている。
【００１１】
本発明のＩＣコイン処理装置では、出口センサによって発行あるいは返却されるＩＣコインが検出されると、ＩＣコイン搬送ローターをＩＣコイン押し戻し阻止位置まで回転させ、そのローター外周端面部分によってＩＣコインが押し戻されることを防止している。ローター外周端面部分を利用しているので、ＩＣコインが押し戻されることを阻止するために新たな部品を取り付ける必要がなく、また、ＩＣコイン出口通路を長くする必要もない。
【００１２】
本発明において、前記出口センサによるＩＣコインの検出位置は、検出されたＩＣコインを前記ＩＣコイン搬送ローターの前記外周端面部分によって前記ＩＣコイン出口の側に押し出し可能な位置に設定しておけばよい。このようにすれば、ＩＣコインの押し戻しを阻止するために回転させたＩＣコイン搬送ローターのローター外周端面部分と、ＩＣコイン出口通路を規定している部材との間にＩＣコインが挟まって動作不能状態に陥ることを回避できる。
【００１３】
また、本発明において、前記制御手段は、前記出口センサによってＩＣコインが検知されなくなると、前記出口シャッターを閉じるようにすればよい。
【００１４】
さらに、本発明のＩＣコイン処理装置は、上記構成に加えて、ＩＣコインが投入されるＩＣコイン投入口と、前記ＩＣコイン投入口から投入されたＩＣコインを前記データ読み書き位置に案内するＩＣコイン入口通路と、ＩＣコインを下端開口部から受け入れて１枚ずつ直径方向に積み上げた状態に収納可能なＩＣコイン収納通路とを有し、前記ポケットは、前記データ読み書き位置、前記ＩＣコイン排出位置、および、前記ＩＣコイン収納通路の前記下端開口部にＩＣコインを押し込み可能なＩＣコイン収納位置を経由する円弧状軌跡に沿って移動可能となっていることを特徴としている。
【００１５】
この場合、前記ＩＣコイン搬送ローターは、前記ポケットとして、１２０度間隔で形成された３つのポケットを備え、前記データ読み書き位置を前記ポケットの開口部が上を向いた位置とし、前記ＩＣコイン排出口を前記データ読み書き位置から６０度回転した位置とし、前記ＩＣコイン収納位置を、前記データ読み書き位置から同一方向に２４０度回転した位置とすることができる。また、この場合には、前記ＩＣコイン搬送ローターの前記ＩＣコイン押し戻し阻止位置を、前記ポケットの一つが前記データ読み書き位置に位置する回転位置とすればよい。
【００１６】
次に、本発明は隣接配置されている遊技台でのプレイで使用する遊技媒体の貸し出しを行う遊技台用台間機において、上記構成のＩＣコイン処理装置を備えていることを特徴としている。
【発明の効果】
【００１７】
本発明のＩＣコイン処理装置では、出口センサによって発行あるいは返却されるＩＣコインが検出されると、ＩＣコイン搬送ローターが回転し、そのローター外周端面部分によってＩＣコインが押し戻されることを阻止可能としている。ローター外周端面部分を利用しているので、ＩＣコインが押し戻されることを阻止するために新たな部品を取り付ける必要がなく、また、ＩＣコイン出口通路を長くする必要もない。よって、コストおよび寸法の増加を招くことなく、ＩＣコインがＩＣコイン出口から押し戻されることを阻止できる。
【発明を実施するための最良の形態】
【００１８】
以下に、図面を参照して、本発明を適用したＩＣコイン処理装置が内蔵されている遊技台用台間機の一例を説明する。
【００１９】
［全体構成］
図１は遊技台用台間機の分解斜視図であり、図２は遊技台用台間機の側面図である。本例の遊技台用台間機１は、会員遊技者用のＩＣカードと一般遊技者(ビジター)用のＩＣコインを用いたプリペイド方式により遊技媒体の貸し出し処理を行うことができるものである。
【００２０】
遊技台用台間機１は、遊技店の遊技島に配列されている遊技台(図示せず)の間の縦長の狭い隙間に、前向きの垂直姿勢で遊技島枠(図示せず)に取り付けられる台間機ホルダ２と、この台間機ホルダ２に対して前方から着脱可能な状態で装着される台間機本体３とから構成されている。
【００２１】
台間機本体３は、全体として縦長の扁平な直方体形状のシャーシ４を備えており、このシャーシ４には、その上側から紙幣識別機５、制御ボックス６および電源ボックス７がこの順序に取り付けられている。シャーシ４の前面には前面パネル８が取り付けられており、当該前面パネル８には上側から、多機能ランプ８ａ、紙幣挿入口８ｂ、ＩＣカードやＩＣコインの残高などを表示するための表示部８ｃ、会員が再プレイする際に暗証番号などを入力するために用いるテンキー８ｄ、ＩＣコインを投入するＩＣコイン投入口８ｅ、ＩＣコインを発行あるいは返却のために排出するＩＣコイン出口８ｆがこの順序で配置されており、ＩＣコイン出口８ｆの隣接位置にはＩＣカード挿入口８ｇが配置されている。
【００２２】
制御ボックス６の側面にはＩＣコイン処理装置１０が組み込まれている。ＩＣコイン処理装置１０は、ＩＣコインの発行(貸し出し)、返却、回収およびデータの読み書きを行うためのものである。ＩＣコイン処理装置１０の側面には水平に延びる矩形の凹部１０ａが形成されており、ここには、ＩＣカードの読み書きを行うカード処理装置１００が装着されている。
【００２３】
一方、台間機ホルダ２は、縦枠２ａと、その上下の端から直角に折れ曲がって前方に延びている上下のガイド板２ｂ、２ｃとを備えている。縦枠２ａには外部通信用の中継基板１６が取り付けられている。中継基板１６には上下一対のガイドピン１７ａ、１７ｂが前方に突出しており、これらの間には通信用のホルダ側コネクタ１８が前向きに取り付けられている。
【００２４】
台間機ホルダ２の上下のガイド板２ｂ、２ｃの間に台間機本体３を位置決めして、これらのガイド板２ｂ、２ｃに沿って台間機本体３を押し込むと、先細り形状のガイドピン１７ａ、１７ｂの先端部がガイド穴１４ａ、１４ｂに差し込まれ、この後は、台間機本体３の差込動作によって、本体側コネクタ１５がホルダ側コネクタ１８に自動的に位置決めされる。台間機本体３を台間機ホルダ２に差し込むと、本体側コネクタ１５がホルダ側コネクタ１８に差し込まれて接続された状態が自動的に形成される。
【００２５】
［ＩＣコイン処理装置］
図３はＩＣコイン処理装置１０の内部構造を示す説明図である。ＩＣコイン処理装置１０は、扁平なユニットケース２１を備えており、その前面２１ａには、遊技台用台間機１の前面パネル８のＩＣコイン投入口８ｅおよびＩＣコイン出口８ｆにそれぞれ連通するＩＣコイン投入口２２およびＩＣコイン出口２３が形成されている。
【００２６】
ユニットケース２１の内部には、ＩＣコイン投入口２２から投入されたＩＣコインを案内するためのＩＣコイン入口通路２４が形成されている。ＩＣコイン入口通路２４の通路幅および通路高さは１枚のＩＣコインが立った状態で通過可能な寸法であり、ＩＣコイン投入口２２から装置後方に向かって僅かに下方に傾斜している部分と、この先から下方に湾曲して垂直に伸びる部分とを備え、ＩＣコインが自重によってその通路底面２４ａに沿って滑落可能となっている。
【００２７】
ＩＣコイン入口通路２４の下端開口部２４ｂは下方に向いており、この真下には、ＩＣコイン搬送ローター２５が装置幅方向(通路幅方向)に延びる支軸２６を中心として回転自在の状態で配置されている。ＩＣコイン搬送ローター２５は１２０度間隔で形成した３つのポケット２５(１)〜２５(３)を備えている。ポケット２５(１)〜２５(３)はローター外周端面２５ａに向けて広がった形状をしたＩＣコインの厚さ分の深さ寸法の凹部あるいは溝であり、ローター外周端面２５ａに位置しているポケット開口部２５ｂからＩＣコインを受け入れ可能である。
【００２８】
ＩＣコイン入口通路２４の通路底面２４ａの側の下方には、支軸２６を中心とする円弧状のコインガイド用内周端面２７が形成されている。このコインガイド用内周端面２７の厚さはＩＣコインとほぼ同一であり、ポケット２５(１)〜２５(３)に受け入れられたＩＣコインは、ＩＣコイン搬送ローター２５が回転すると、ポケット２５(１)〜２５(３)に入った状態で当該コインガイド用内周端面２７に沿う円弧状軌跡に沿って搬送される。
【００２９】
ここで、ＩＣコイン入口通路２４の下端開口部２４ｂの真下の位置が、ＩＣコインに対するデータ読み書き位置Ａとされている。このデータ読み書き位置Ａの近傍に配置されているＩＣコインリーダーライター(図示せず)のアンテナ２８によってＩＣコインに対するデータの読み書きが行われる。本例では、ＩＣコイン入口通路２４の下端開口部２４ｂの真下において上向き姿勢となるポケット２５(１)〜２５(３)に保持されたＩＣコインの位置が当該データ読み書き位置Ａとされている。
【００３０】
ＩＣコイン出口２３にはＩＣコイン出口通路３０が連通している。このＩＣコイン出口通路３０はＩＣコイン出口２３に向けて下方に傾斜した通路であり、ＩＣコインが自重によって滑落してＩＣコイン出口２３から排出可能となっている。このＩＣコイン出口通路３０とＩＣコイン搬送ローター２５の間を仕切っているコインガイド用内周端面２７の部分は、出口シャッター３１の端面３１ａによって規定されている。出口シャッター３１を開くと、ＩＣコイン出口通路３０の上端側開口部３０ａが開き、ＩＣコイン搬送ローター２５の側に連通する。本例では、データ読み書き位置Ａに位置しているポケット２５(１)〜２５(３)が時計回りに６０度回転すると、上端側開口部３０ａに連通可能なＩＣコイン排出位置Ｂに位置決めされるようになっている。
【００３１】
ＩＣコイン出口通路３０の上端側開口部３０ａの下端近傍におけるＩＣコイン搬送ローター２５との間には、ポケット２５(１)〜２５(３)からＩＣコイン出口通路３０にＩＣコインを導くためのコイン出口補助通路片３２が配置されている。このコイン出口補助通路片３２は、コイン出口シャッター３１がＩＣコイン出口通路３０内に突出して当該通路を遮断すると、ＩＣコイン出口通路３０から退避し、コイン出口シャッター３１がＩＣコイン出口通路３０を開放すると、ＩＣコイン出口通路３０内に突出してＩＣコインをＩＣコイン出口通路３０の側に案内する。
【００３２】
ＩＣコイン出口通路３０における上端側開口部３０ａの近傍位置には出口センサ４０が配置されている。出口センサ４０によってＩＣコインが通過したことが検出されると、コイン出口シャッター３１が閉じ、コイン出口補助通路片３２が突出位置から退避する。コイン出口シャッター３１およびコイン出口補助通路片３２は、共通のソレノイドなどの駆動機構(図示せず)によって駆動される。
【００３３】
ＩＣコイン搬送ローター２５の後側にはＩＣコイン収納通路３３が配置されている。ＩＣコイン収納通路３３は、ＩＣコイン１枚分を通すことのできる通路から形成されており、ＩＣコインを立てた状態で下端開口部３３ａから送り込むようになっている。この下端開口部３３ａの下側の端面３３ｂには、コインガイド用内周端面２７の下端側の部分が直線状に延びて滑らかに連続している。本例では、データ読み書き位置Ａに位置しているポケット２５(１)〜２５(３)が時計回りに２４０度回転すると、下端開口部３３ａにＩＣコインを押し込み可能なＩＣコイン収納位置Ｃに位置決めされるようになっている。
【００３４】
この下端開口部３３ａの上側には、ＩＣコイン搬送ローター２５のローター外周端面２５ａに僅かの隙間で対峙しているコインガイド用内周端面３４が形成されている。このコインガイド用内周端面３４はＩＣコイン入口通路２４の下端開口部２４ｂまで延びている。ポケット２５(１)〜２５(３)に収納されているＩＣコインは、ＩＣコイン搬送ローター２５の回転に伴って、当該コインガイド用内周端面３４の角部によってポケットから押し出されながら、各ポケットの端面によってＩＣコイン収納通路３３の下端開口部３３ａに押し込まれるようになっている。
【００３５】
次に、ＩＣコイン投入口２２に連通しているＩＣコイン入口通路２４の部位には入口シャッター３５が配置されている。入口シャッター３５はＩＣコインが投入されていない状態ではＩＣコイン入口通路２４から退避している。入口シャッター３５の下流側の部位には入口センサ３６が配置されており、ここを通過するＩＣコインを検出する。入口センサ３６によって投入されたＩＣコインが検出されると、入口シャッター３５が閉じてＩＣコイン投入口２２が封鎖され、当該ＩＣコイン投入口２２からＩＣコインが投入できないようになる。
【００３６】
ＩＣコインのデータ読み書き位置Ａには当該位置にＩＣコインが保持されているか否かを検出するためのセンサ３７が配置されている。また、ＩＣコイン収納通路３３には、その下端開口部３３ａの近傍位置にＩＣコインエンプティセンサ３８が配置され、その上端近傍位置にはＩＣコインフルセンサ３９が配置されている。これらの出力に基づき、ＩＣコイン収納通路３３が空になったのか、満杯になったのかを知ることができる。
【００３７】
なお、ＩＣコイン搬送ローター２５を回転駆動するための駆動機構は、例えば、そこに同心状に取り付けたメインギヤ、このメインギヤに噛み合っているウォームホイール、このウォームホイールに噛み合っているウォームおよび当該ウォームが出力軸に固着されている駆動モータを備えた構成とすることができる。また、ＩＣコイン搬送ローター２５の回転位置を検出するためのセンサ(図示せず)が配置されており、これらの出力に基づき、ＩＣコイン搬送ローター２５の各ポケット２５(１)〜２５(３)の回転位置が制御される。
【００３８】
［ＩＣコイン処理装置の動作説明］
図４はＩＣコイン処理装置１０の処理動作を示す状態遷移図である。まず、図４の状態Ｓ１はＩＣコイン処理装置１０の典型的な待機状態を示してある。図示の待機状態Ｓ１では、ＩＣコイン収納通路３３に複数枚のＩＣコインＣ１〜Ｃ５が収納されており、一つの空のポケット２５(１)がデータ読み書き位置Ａに位置している。ＩＣコイン収納位置Ｃに位置しているポケット２５(３)とＩＣコイン収納通路３３の下端開口部３３ａの間にはＩＣコインＣ６が収納されており、データ読み書き位置Ａから時計回りに１２０度回転した位置にあるポケット２５(２)にはＩＣコインＣ７が収納されている。
【００３９】
この待機状態Ｓ１において、紙幣が投入され、紙幣識別機５によって入金額が検出されると、ＩＣコインの発行動作が行われる。発行動作においては、まず、待機状態Ｓ１から、ＩＣコイン搬送ローター２５を１２０度だけ反時計回りに回転させて、ポケット２５(２)がデータ読み書き位置Ａに位置決めされた状態Ｓ２とする。この状態Ｓ２において、ポケット２５(２)に入っているＩＣコインＣ７に入金額に対応する価値データなどの書き込み処理を行う。
【００４０】
次に、ＩＣコイン搬送ローター２５を時計回りに６０度回転して、ポケット２５(２)をＩＣコイン排出位置Ｂに位置決めする。この時点では、コイン出口シャッター３１が開き、コイン出口補助通路片３２がＩＣコイン出口通路３０に突出した状態とされる。この結果、状態Ｓ３に示すように、ポケット２５(２)からＩＣコインＣ７が自重により転がり出て、ＩＣコイン出口補助通路片３２に案内されて、ＩＣコイン出口通路３０を通って、ＩＣコイン出口２３から発行される。
【００４１】
発行されるＩＣコインＣ７は出口センサ４０によって検出される。出口センサ４０によってＩＣコインＣ７が検出されると、直ちに、ＩＣコイン搬送ローター２５が反時計回りに６０度回転して、空のポケット２５(２)がデータ読み書き位置Ａに位置決めされた待機状態Ｓ４に移行する。出口センサ４０の検出位置をＩＣコインＣ７が通過し終えると、出口シャッター３１が閉じ、コイン出口補助通路片３２が退避する。
【００４２】
待機状態Ｓ４において、ＩＣコイン投入口２２から既に発行されているＩＣコインＣａが投入されると、状態Ｓ５に示すように、投入されたＩＣコインＣａはＩＣコイン入口通路２４を自重によって滑落して、ＩＣコイン搬送ローター２５のポケット２５(２)に受け入れられる。ＩＣコインＣａの投入が入口センサ３６によって検出されると、入口シャッター３５が閉じる。ポケット２５(２)に入ったＩＣコインＣａはアンテナ２８によってそのコインデータが読み出される。プリペイド残高がある場合には遊技媒体の貸し出しが可能であり、貸し出し指令を受けると遊技台用台間機１によって遊技媒体の貸し出し処理が行われる。遊技媒体の貸し出し処理を行った後はプリペイド残高から貸し出し料を減算し、減算後の残高をＩＣコインＣａに書き込む。
【００４３】
遊技終了後などにＩＣコインＣａの返却指令が入力されると、プリペイド残高を確認し、残高が零の場合には、ＩＣコインＣａを返却することなく、内部に回収する。すなわち、ＩＣコイン搬送ローター２５を時計回りに１２０度回転させ、空のポケット２５(１)をデータ読み書き位置Ａに位置決めした待機状態Ｓ６とする。
【００４４】
ＩＣコインＣａの残高が零でない場合には、返却指令が入力されると、状態Ｓ７に示すように、ＩＣコインＣａをＩＣコイン出口２３から返却する返却動作が行われる。この返却動作では、出口シャッター３１を開き、コイン出口補助通路片３２を突出させた後に、ＩＣコイン搬送ローター２５を時計回りに６０度回転させ、ポケット２５(２)をＩＣコイン出口通路３０に連通した位置とする。この結果、ポケット２５(２)からＩＣコインＣａが自重により転がり出て、コイン出口補助通路片３２に案内されて、ＩＣコイン出口通路３０を通って、ＩＣコイン出口２３から返却される。
【００４５】
返却されるＩＣコインＣａは出口センサ４０によって検出される。出口センサ４０によってＩＣコインＣａが検出されると、直ちに、ＩＣコイン搬送ローター２５が反時計回りに６０度回転して、空のポケット２５(２)がデータ読み書き位置Ａに位置決めされた待機状態Ｓ４に移行する。出口センサ４０の検出位置をＩＣコインＣ７が通過し終えると、出口シャッター３１が閉じ、コイン出口補助通路片３２が退避する。
【００４６】
このように、本例のＩＣコイン処理装置１０では、ＩＣコインの発行および返却時には、出口センサ４０によってＩＣコインが検出されると、直ちに、ＩＣコイン搬送ローター２５が反時計回りに６０度回転して、空のポケット２５(２)がデータ読み書き位置Ａに位置決めされた待機状態に移行する。そして、ＩＣコインが出口センサ４０の検出位置を通過し終えると、出口シャッター３１を閉じて、コイン出口補助通路片３２を退避させるようにしている。ＩＣコイン搬送ローター２５が待機状態に戻ると、ポケット開口部２５ｂが形成されていないローター外周端面２５ａの部分がＩＣコイン出口通路３０の上端側開口部３０ａに対峙した状態になる。
【００４７】
このため、図３に想像線で示すように、ＩＣコイン出口２３の側から、ＩＣコイン出口通路３０内にあるＩＣコインＣａを押し込むと、当該ローター外周端面２５ａの部分２５ｃにＩＣコインＣｂが当る。よって、ＩＣコインＣａが内部に押し戻されることが確実に阻止される。
【００４８】
例えば、ＩＣコインの返却時には、遊技者が返却されたＩＣコインをＩＣコイン出口２３から取り出すことを忘れて、ＩＣコインがそのままＩＣコイン出口２３に残ることがある。ＩＣコインが残ったまま、次のＩＣコインの発行あるいは返却が行われると、ＩＣコイン出口２３には縦列状態で２枚のＩＣコインが貯まる。
【００４９】
図５には２枚のＩＣコインＣａおよびＣｂが残っている状態を示してある。本例では、後続のＩＣコインＣｂの外周端面がＩＣコイン搬送ローター２５のローター外周端面２５ａから僅かに外れた位置となるようにＩＣコイン出口通路３０の長さが設定されている。また、出口センサ４０の検出位置は、ＩＣコイン出口２３に排出されたＩＣコインＣａが完全に通過し終える位置とされている。したがって、後側のＩＣコインＣｂが当該検出位置に掛かった状態になる。
【００５０】
このように２枚のＩＣコインＣａ、ＣｂがＩＣコイン出口２３に貯まると、出口センサ４０はＩＣコインを検出し続けた状態になる。この状態では、出口シャッター３１が開いたままとされる。図５に示すように、ＩＣコインＣｂが排出された後の空のポケット２５(２)がＩＣコイン出口通路３０に連通したＩＣコイン排出位置Ｂに位置したままであると、ＩＣコインＣａ、Ｃｂを押し込むと、ＩＣコインＣｂが想像線Ｃｂ’で示すように、ポケット２５(２)に押し戻される危険性がある。
【００５１】
しかしながら、本例では、ＩＣコインの発行、返却時において、ＩＣコイン排出位置ＢにあるポケットからＩＣコインが排出されて出口センサ４０によって検出されると、直ちにＩＣコイン搬送ローター２５を待機状態に戻している。本例では、ＩＣコイン搬送ローター２５を待機状態に戻すと、ポケットが位置していないローター外周端面２５ａの部分２５ｃがＩＣコイン出口通路３０に対峙する。よって、ＩＣコイン出口通路３０に貯まっているＩＣコインＣｂが内部に押し戻されてしまうことが確実に阻止される。
【００５２】
また、本例では、押し戻されたＩＣコインＣｂが検出位置から外れた直後の状態(図５の想像線Ｃｂ”で示す位置)でＩＣコイン搬送ローター２５を回転しても、ＩＣコイン搬送ローター２５のローター外周端面２５ａによってＩＣコインＣｂをＩＣコイン出口通路３０の側に押し出すことができるように、出口センサ４０の検出位置を設定してある。このため、ＩＣコインＣｂがＩＣコイン搬送ローター２５と内部の通路壁部分４１の間に挟まり、動作不能状態に陥るなどの弊害を回避できる。
【００５３】
なお、押し戻されるＩＣコインを阻止するために、本例では反時計回りに６０度だけＩＣコイン搬送ローター２５を回転させているが、回転角度は６０度でなくてもよく、ポケット開口部２５ｂが位置していないローター外周端面２５ａの部分２５ｃがＩＣコイン出口通路３０に対峙するようにできればよい。また、本例では、３つのポケットが形成されたＩＣコイン搬送ローター２５を用いているが、１つ、２つあるいは４つ以上のポケットを備えたＩＣコイン搬送ローターを用いた場合にも本発明を適用可能である。
【図面の簡単な説明】
【００５４】
【図１】本発明を適用した遊技台用台間機の分解斜視図である。
【図２】図１の遊技台用台間機の側面図である。
【図３】図１の遊技台用台間機に組み込まれているＩＣコイン処理装置の内部構造を示す説明図である。
【図４】図３のＩＣコイン処理装置の状態遷移図である。
【図５】図３のＩＣコイン処理装置の作用効果を説明するための説明図である。
【符号の説明】
【００５５】
１  遊技台用台間機
２  台間機ホルダ
３  台間機本体
４  シャーシ
５  紙幣識別機
６  制御ボックス
７  電源ボックス
８  前面パネル
８ａ  多機能ランプ
８ｂ  紙幣挿入口
８ｃ  表示部
８ｄ  テンキー
８ｅ  ＩＣコイン投入口
８ｆ  ＩＣコイン出口
８ｇ  ＩＣカード挿入口
１０  ＩＣコイン処理装置
１４ａ、１４ｂ  ガイド穴
１５  本体側コネクタ
１６  中継基板
１７ａ、１７ｂ  ガイドピン
１８  ホルダ側コネクタ
２１  ユニットケース
２１ａ  前面
２２  ＩＣコイン投入口
２３  ＩＣコイン出口
２４  ＩＣコイン入口通路
２４ａ  通路底面
２４ｂ  下端開口部
２５  ＩＣコイン搬送ローター
２５(１)〜２５(３)  ポケット
２５ａ  ローター外周端面
２５ｂ  ポケット開口部
２５ｃ  部分
２６  支軸
２７  コインガイド用内周端面
２８  アンテナ
３０  ＩＣコイン出口通路
３０ａ  上端側開口部
３１  出口シャッター
３１ａ  端面
３２  コイン出口補助通路片
３３  ＩＣコイン収納通路
３３ａ  下端開口部
３３ｂ  端面
３４  コインガイド用内周端面
３５  入口シャッター
３６  入口センサ
３７  センサ
３８  ＩＣコインエンプティセンサ
３９  ＩＣコインフルセンサ
４０  出口センサ
４１  通路壁部分
Ｃ１〜Ｃ７、Ｃａ、Ｃｂ  ＩＣコイン
Ａ  データ読み書き位置
Ｂ  ＩＣコイン排出位置
Ｃ  ＩＣコイン収納位置
【図１】
2008083812.tif 000003
【図２】
2008083812.tif 000004
【図３】
2008083812.tif 000005
【図４】
2008083812.tif 000006
【図５】
2008083812.tif 000007